(57)【要約】      （修正有）【課題】固定された一方の管の端部に接続をする他方の管の端部を一方の管側に引き寄せる管の牽引装置を提供する。【解決手段】複数に分割されたバンド１６をコネクタ１８を介してつなぎ合わせて環状に形成し、一方の管１２と他方の管１４の端部外周に巻き付けて固定する。コネクタ１８に取り付けられたアンカーボルト２２にフック２６を用いてチェンもしくはワイヤーを接続する。このチェンもしくはワイヤーの長さを縮めるように動作する巻締め機３０を設ける。コネクタ１８は管の周囲にほぼ軸対象に２箇所以上に配置され、他方の管１４を複数本のチェンもしくはワイヤーでバランス良く引くことができる。【選択図】図１
0003210088.tif 000002
【実用新案登録請求の範囲】
【請求項１】
固定された一方の管の端部に接続をする他方の管の端部を一方の管側に引き寄せるためのものであって、
複数に分割されたバンドをつなぎ合わせて環状に形成し、一方の管と他方の管の端部外周に巻き付けて固定するコネクタと、
コネクタに取り付けられたアンカーボルトにフックを用いて接続されるチェンもしくはワイヤーと、このチェンもしくはワイヤーの長さを縮めるように動作する巻締め機とを備えたことを特徴とする管の牽引装置。
【請求項２】
コネクタは管の周囲にほぼ軸対象に２箇所以上に配置されていることを特徴とする請求項１に記載の管の牽引装置。
【請求項３】
バンドとコネクタとはバンドの端部に固定されたボルトによって相互に連結され、コネクタは管に接する面には管に密着する湾曲面を有し、一方の側面に上記巻締め機のチェンもしくはワイヤーを連結するアンカーボルトを固定したことを特徴とする請求項１乃至３のいずれかに記載の管の牽引装置。
【考案の詳細な説明】
【技術分野】
【０００１】
本考案は、本考案は、大口径の下水管や水道管などをつなぎ合わせる場合に、一方の管を他方の管に引き寄せるときに使用される装置に関する。
【背景技術】
【０００２】
本考案者は、既に、地面に溝を掘って下水管や水道管等を埋設する場合に、その軸合わせに適する装置を開発した。これは、特許文献２〜５等に紹介された技術を改良したものである。
【先行技術文献】
【特許文献】
【０００３】
【特許文献１】実願２０１６−００５６１３号
【特許文献２】特開２００２−２９５７３２号公報
【特許文献３】特開２００８−２３２２０３号公報
【特許文献４】特開２０１６−１４２３２６号公報
【特許文献５】特開２０１６−１４２３２６号公報
【考案の概要】
【考案が解決しようとする課題】
【０００４】
既知の従来の技術には、次のような解決すべき課題があった。
管をつなぎ合わせるために正確に軸合わせをした後、一方の管を他方の管に引き寄せる作業が必要になる。大口径で大重量の管を、軸合わせした状態を保持したま移動させるには大きな力が必要になる。しかも軸を狂わせないように慎重に作業するので時間を要するという問題があった。
本考案は、特に先に開発した装置と組み合わせることで効率良く管を引き寄せて接続作業が出来る管の牽引装置を提供することを目的とする。
【課題を解決するための手段】
【０００５】
以下の構成はそれぞれ上記の課題を解決するための手段である。
【０００６】
＜構成１＞
固定された一方の管の端部に接続をする他方の管の端部を一方の管側に引き寄せるためのものであって、
複数に分割されたバンドをつなぎ合わせて環状に形成し、一方の管と他方の管の端部外周に巻き付けて固定するコネクタと、
コネクタに取り付けられたアンカーボルトにフックを用いて接続されるチェンもしくはワイヤーと、このチェンもしくはワイヤーの長さを縮めるように動作する巻締め機とを備えたことを特徴とする管の牽引装置。
【０００７】
＜構成２＞
コネクタは管の周囲にほぼ軸対象に２箇所以上に配置されていることを特徴とする構成１に記載の管の牽引装置。
【０００８】
＜構成３＞
バンドとコネクタとはバンドの端部に固定されたボルトによって相互に連結され、コネクタは管に接する面には管に密着する湾曲面を有し、一方の側面に上記巻締め機のチェンもしくはワイヤーを連結するアンカーボルトを固定したことを特徴とする構成１乃至３のいずれかに記載の管の牽引装置。
【考案の効果】
【０００９】
＜構成１の効果＞
一方の管と他方の管の端部外周にバンドとコネクタをつないだものを巻き付けて固定し、コネクタに設けたアンカーボルトを巻締め機で引っ張って、他方の管の端部を一方の管側に引き寄せることができる。
＜構成２の効果＞
他方の管を複数本のチェンもしくはワイヤーでバランス良く引くことができる。
＜構成３の効果＞
コネクタの湾曲面を管に密着させて固定するので、管の端部をしっかりと把持して管を引き寄せることができる。
【図面の簡単な説明】
【００１０】
【図１】図１（ａ）は実施例１の管の牽引装置の正面図、（ｂ）は側面図である。
【図２】図２（ａ）は、コネクタ１８の平面図で（ｂ）は側面図である。
【図３】図３の（ａ）はバンド１６とコネクタ１８の接続部分の拡大部分断面図、（ｂ）はバンド１６の平面図、（ｃ）は側面図である。
【図４】位置決めのために使用する自在誘導装置３８の構造説明図である。
【図５】図５（ａ）〜（ｃ）は、自在誘導装置３８による管１４の位置決め方法を示す管の横断面である。
【図６】図６は、予め軸合わせをした一方の管１２を、本考案の牽引装置を使用して他方の管１４側に引き寄せる動作の説明図である。
【考案を実施するための形態】
【００１１】
以下、本考案の実施の形態を実施例毎に詳細に説明する。
【実施例１】
【００１２】
図１は実施例１の管の牽引装置を示し、（ａ）は、一方の管１２の横断面から見た本考案の管の牽引装置の正面図で、（ｂ）は接続される管１２と１４の端部とそこに装着された牽引装置の側面図である。
【００１３】
（ａ）に示すように、この装置は、２枚のバンド１６と２個のコネクタ１８とを接続して環状に構成した部分を備えている。バンド１６の両端には、それぞれ連結ボルト２０が溶接固定されている。後で説明するように、コネクタ１８とバンド１６とは連結ボルト２０によりボルト締めして連結される。連結ボルト２０は、管を締め付ける強さを調節する役割を備える。コネクタ１８の側面にはアンカーボルト２２が取り付けられている。
【００１４】
図１（ｂ）は、一方の管１２と他方の管１４を接続するために、一方の管１２に他方の管１４を引き寄せる直前の状態を示している。一方の管１２と他方の管１４の端部にはそれぞれ、図１（ａ）に示したようなバンド１６とコネクタ１８が巻き付けられて固定されている。コネクタ１８のに取り付けられたアンカーボルト２２には、フック２６を用いて、チェン２６が接続されている。
【００１５】
巻締め機３０は、レバー２８を操作することによりチェン２６の長さを縮めるように動作する。なお、ここではチェン２４を使用したものを例示したが、ロープやベルト等の各種のワイヤーが使用されるものでもよい。ラチェット式にチェン２４を巻き込む巻締め機３０の構造は既知であって、ここではさらなる説明を省略する。この巻締め機３０は、手動式でもよいし、油圧等により駆動されるものでもよい。あとで説明するように、管１４を無理なく引き寄せるには、複数のコネクタ１８にチェン２４を接続して交互に少しずつ巻き締めすることが好ましい。以上のような牽引装置により、地中に固定された一方の管１２の端部に、他方の管１４の端部を引き寄せて接続をする。
【００１６】
図２（ａ）は、コネクタ１８の平面図で（ｂ）はコネクタ１８の側面図である。
コネクタ１８は、何枚かの金属板を溶接して制作することができる。図１に示したバンド１６の連結ボルト２０を挿入するために、コネクタ１８の左右２箇所に連結孔３２が設けられている。また、コネクタ１８の一方の側面にはアンカーボルト２２がボルト締め固定されている。溶接により固定しても構わない。
【００１７】
引き寄せる方向は一方向だから、アンカーボルト２２は一側面にのみ設ければ良い。さらに、コネクタ１８の、一方の管１２や他方の管１４と接する面には、コネクタ１８が管と隙間なく密着するように湾曲面１９が設けられている。この湾曲面１９は、コネクタ１８が一方の管１２や他方の管１４を掴む力に大きく影響する。この部分の密着がよければチェン２４に張力が加わったときに滑りを生じない。
【００１８】
図３の（ａ）はバンド１６とコネクタ１８の接続部分の拡大部分断面図、（ｂ）はバンド１６の平面図、（ｃ）はバンド１６の側面図である。
図３（ｂ）や（ｃ）に示すように、連結ボルト２０はバンド１６の端部に溶接部３６によって固定されている。そして、図３（ａ）に示すように、連結ボルト２０をコネクタ１８の連結孔３２に挿入して、ナット３４を使って接続固定する。連結ボルト２０のナット３４を締めることによって、コネクタ１８が管に押しつけられる強さを調節することができる。頭がＴ字型の連結ボルト２０とそのＴとほぼ等しい幅のバンド１６を溶接すると、ねじれを生じない強力な連結構造が実現する。
【００１９】
図４と図５を用いて、管の位置決め作業について説明する。図４は位置決めのために使用する自在誘導装置３８の構造説明図で、図５はその作用説明図である。
一方の管１２に他方の管１４を接続するためには、これらの端部の軸合わせをしなければならない。これが位置決め作業である。自在誘導装置３８は、図４（ａ）に示すように、架台４０の両側にジャッキ４２を固定した構造をしている。ジャッキ４２は管１４を載せる一対の主輪４４を備えている。これらの主輪４４はジャッキ４２により架台４０に沿って移動させることができる。
【００２０】
図４（ｃ）に示すように、ジャッキ４２のシリンダ５２の先端には軸受け５０が固定されている。図４（ｂ）に示すように、軸受け５０は主輪４４とガイド輪４６を回転自在に支持している。ガイド輪４６は、架台４０上を転がりながら移動する。主輪４４は架台４０とは接していない。主輪４４の上に管１４が乗せられる。
【００２１】
図４（ｃ）に示すように、ジャッキ４２のシリンダ５２が矢印Ａの方向に押し出されると、ガイド輪４６は矢印Ｃの方向に回転して架台４０の上を転がる。一方、主輪４４は管１４を支持しながら矢印Ｂの方向に回転する。このような動作によって、管１４は、図４（ａ）に示すように、その断面から見て前後左右に軸を移動させる。
【００２２】
図５（ａ）〜（ｃ）は、管１４の位置決め方法を示す管の横断面である。
まず図５（ａ）に示すように、図４で説明した自在誘導装置３８の一対の主輪４４の間隔を縮めるように移動させると、管１４は上方に持ち上げられる。また図５（ｂ）に示すように、右側の主輪４４だけを左側に移動させるようにすると、管１４は斜め左上方向に移動する。反対に、図５（ｃ）に示すように、左側の主輪４４だけを右方向に移動させるようにすると、管１４は斜め右上方向に移動する。このようにして管１４の端部の位置を微調整して、一方の管１２と他方の管１４の軸合わせをすることができる。
【００２３】
図６は、予め軸合わせをした一方の管１２を、本考案の牽引装置を使用して他方の管１４側に引き寄せる動作の説明図である。図の左側には、他方の管１４と一方の管１２の平面図を示した。また、右側の一点鎖線円内には、本考案の牽引装置を装着した拡大図を示す。一方の管１２は、あらかじめ地中にその端部を残して埋設され固定されているものとする。他方の管１４は、その両端部付近が自在誘導装置３８によって支持されている。これらの自在誘導装置３８によって、一方の管１２の端部は既に位置決めが完了しているものとする。
【００２４】
ここで、一点鎖線の円内に示すように、一方の管１２と他方の管１４には、図１で説明したバンド１６とコネクタ１８が締め付け固定されている。そして、この例では左右２箇所にそれぞれチェン２４を接続している。チェン２４の長さは左右バランスよくほぼ同じ長さにしておく。その後、左右の巻締め機３０のレバー２８を交互に操作して、少しずつチェン２４の長さを縮めていく。これにより、他方の管１４は矢印Ｄの方向に少しずつ移動する。この作業を慎重に行えば、他方の管１４に一方の管１２の端部を挿入して接続することができる。
【００２５】
上記の例では、コネクタ１８は左右２箇所設けたが、大口径の管の場合には、管の周囲にほぼ軸対象に３箇所以上配置されていることが好ましい。また、一方の管１２を他方の管１４の方向に引き寄せるとき、自在誘導装置３８の代わりに一方の管１２の長手方向に一方の管１２を移動させやすいコロ等で支えるとよい。
【符号の説明】
【００２６】
１２  一方の管
１４  他方の管
１６  バンド
１８  コネクタ
１９  湾曲面
２０  連結ボルト
２２  アンカーボルト
２４  チェン
２６  フック
２８  レバー
３０  巻締め機
３２  連結孔
３４  ナット
３６  溶接部
３８  自在誘導装置
４０  架台
４２  ジャッキ
４４  主輪
４６  ガイド輪
４８  レール
５０  軸受け
５２  シリンダ
【図１】
0003210088.tif 000003
【図２】
0003210088.tif 000004
【図３】
0003210088.tif 000005
【図４】
0003210088.tif 000006
【図５】
0003210088.tif 000007
【図６】
0003210088.tif 000008
【手続補正書】
【提出日】平成29年2月22日(2017.2.22)
【手続補正１】
【補正対象書類名】実用新案登録請求の範囲
【補正対象項目名】請求項３
【補正方法】変更
【補正の内容】
【請求項３】
バンドとコネクタとはバンドの端部に固定されたボルトによって相互に連結され、コネクタは管に接する面には管に密着する湾曲面を有し、一方の側面に上記巻締め機のチェンもしくはワイヤーを連結するアンカーボルトを固定したことを特徴とする請求項１乃至２のいずれかに記載の管の牽引装置。
【手続補正２】
【補正対象書類名】明細書
【補正対象項目名】０００８
【補正方法】変更
【補正の内容】
【０００８】
＜構成３＞
バンドとコネクタとはバンドの端部に固定されたボルトによって相互に連結され、コネクタは管に接する面には管に密着する湾曲面を有し、一方の側面に上記巻締め機のチェンもしくはワイヤーを連結するアンカーボルトを固定したことを特徴とする構成１乃至２のいずれかに記載の管の牽引装置。